(57)【要約】【課題】剛性の高い硬質のもの同士の手軽な操作での着脱を可能にする連結具の提供を目的とする。また、硬質のものに対する手軽な操作での着脱が可能な面ファスナ付き器機の提供を目的とする。【解決手段】着脱可能な一対の面ファスナ１のいずれか一方を備え、硬質の取付基部２に固定された他方の面ファスナ１に着脱可能な連結具１２であって、  硬質材料により形成されて前記面ファスナ１の背面に固定される面ファスナ固定部３と、  前記面ファスナ固定部３の面ファスナ１反対方に形成されて該面ファスナ１の中心部を通って面ファスナ１にほぼ直交する回転軸線Ａ周りに面ファスナ固定部３を回転操作可能な操作部４とを有して連結具１２を構成する。【選択図】図２
2014119014.tif 000002
【特許請求の範囲】
【請求項１】
着脱可能な一対の面ファスナのいずれか一方を備え、硬質の取付基部に固定された他方の面ファスナに着脱可能な連結具であって、
硬質材料により形成されて前記面ファスナの背面に固定される面ファスナ固定部と、
前記面ファスナ固定部の面ファスナ反対方に形成されて該面ファスナの中心部を通って面ファスナにほぼ直交する回転軸線周りに面ファスナ固定部を回転操作可能な操作部とを有する連結具。
【請求項２】
前記回転軸線上に配置された軸部により面ファスナ固定部と操作部を連結して形成される連結具本体と、
前記他方の面ファスナあるいは取付基部への当接部が形成されるとともに、前記軸部を回転自在に支持する軸挿通孔が開設される支持部材とを有する請求項１記載の連結具。
【請求項３】
前記軸部には軸挿通孔に螺合するネジ部が形成されるとともに、
前記支持部材には、面ファスナ固定部の進退移動スペースが設定される請求項２記載の連結具。
【請求項４】
前記支持部材には、弾性変形により当接部を取付基部との接離方向に進退可能に支持する弾性部が形成される請求項２または３記載の連結具。
【請求項５】
着脱可能な一対の面ファスナのいずれか一方を備え、硬質の取付基部に固定された他方の面ファスナに着脱可能な面ファスナ付き器機であって、
前記面ファスナの背面に硬質材料からなる面ファスナ固定部を固定するとともに、該面ファスナ固定部の面ファスナ反対方に面ファスナの中心部を通って面ファスナにほぼ直交する回転軸線上に配置された軸部を介して、前記回転軸線周りに面ファスナ固定部を回転操作可能な操作部を連結して形成される連結具と、
前記取付基部あるいは他方の面ファスナへの当接部が形成されるとともに、前記軸部を回転自在に支持する軸挿入孔が開設される器機本体とを有する面ファスナ付き器機。
【請求項６】
前記軸部には軸挿入孔に螺合するネジ部が形成されるとともに、
前記器機本体には、面ファスナ固定部の進退移動スペースが設定される請求項５記載の面ファスナ付き器機。
【発明の詳細な説明】
【技術分野】
【０００１】
本発明は連結具に関するものである。
【背景技術】
【０００２】
着脱可能な連結が手軽にできる面ファスナは、従来、例えば特許文献１に記載されるように、乳幼児用の衣服において腹身頃と前身頃を連結する際に用いられている。このような面ファスナは、具体的には例えば、対向平面上にそれぞれ密集して植設されたフックとループの対を接触、離隔させることにより、接触時にループにフックを係止させて連結され、離隔移動に伴ってフックを弾性変形させてループと係止解除させることにより連結解除される。
【０００３】
上述のように密集状のフックとループとは、その多数が係止することにより面ファスナを強固な連結状態に維持し、連結解除に際しては、多数のフックを同時に弾性変形させるには多大な力を要することから、フックとループの一方が植設された平面、すなわち着脱可能な一対の面ファスナのいずれか一方を他方に対して漸次離隔方向に捲り上げるなどすることにより、面ファスナを撓ませるように変形させ、捲り上げの基端となる線状の領域においてフックを順次弾性変形させて引き剥がすようにしてなされる。
【先行技術文献】
【特許文献】
【０００４】
【特許文献１】特開平１１-１０７０１３号公報
【発明の開示】
【発明が解決しようとする課題】
【０００５】
しかしながら、面ファスナは、手軽な操作での連結解除を可能にするために、上述したように撓ませるように変形させて引き剥がすといった使用態様が強いられていることから、これが取り付けられる連結対象の少なくともいずかれ一方側が上述した乳幼児用の衣服のような柔軟なものに限られてしまうという欠点がある。
【０００６】
本発明は以上の欠点を解消すべくなされたものであって、剛性の高い硬質のもの同士の手軽な操作での着脱を可能にする連結具の提供を目的とする。また、本発明の他の目的は、硬質のものに対する手軽な操作での着脱が可能な面ファスナ付き器機の提供にある。
【課題を解決するための手段】
【０００７】
本発明によれば上記目的は、
着脱可能な一対の面ファスナ１、１のいずれか一方を備え、硬質の取付基部２に固定された他方の面ファスナ１に着脱可能な連結具であって、
硬質材料により形成されて前記面ファスナ１の背面に固定される面ファスナ固定部３と、
前記面ファスナ固定部３の面ファスナ１反対方に形成されて該面ファスナ１の中心部を通って面ファスナ１にほぼ直交する回転軸線Ａ周りに面ファスナ固定部３を回転操作可能な操作部４とを有する連結具を提供することにより達成される。
【０００８】
本発明によれば、連結具は、着脱可能な一対の面ファスナ１、１のいずれか一方を備え、他方の面ファスナ１が固定された取付基部２に対して面ファスナ機構を利用して連結可能に形成される。面ファスナ１の背面には硬質材料により形成された面ファスナ固定部３が固定されて面ファスナ１の撓むような変形が規制されており、また、取付基部２側の面ファスナ１も取付基部２が硬質であるために撓むような変形が規制される。
【０００９】
このように撓むような変形を規制され、引き剥がすような連結解除ができない面ファスナ１の連結解除を手軽に実現するために、上述した面ファスナ固定部３の面ファスナ１反対方には操作部４が形成される。この操作部４は、面ファスナ１の中心部を通って面ファスナ１にほぼ直交する回転軸線Ａ周りに面ファスナ固定部３を回転操作可能にするものであり、面ファスナ固定部３が回転すると、具体的には例えば面ファスナ１が上述したように密集状のフックとループの一対、すなわちフックやループを一定方向に規則的に植設したものであるときには、少なくとも一定の割合のフックについてはあまり弾性変形することなくループと係止解除され、また、残余のフックについても、係止方向に対して直交する方向おいてループとの干渉を解消させる程度の弾性変形があれば係止解除されるために、係止解除に要する操作力を比較的低く抑えることができる。
【００１０】
連結解除は、上述のように操作部４を回転操作しながら面ファスナ固定部３を取付基部２から離れる方向に引っ張ればよく、この引っ張り操作は例えば操作部４を回転させながら引っ張り方向に引っ張れば足りる。
【００１１】
したがって本発明によれば、面ファスナ１を撓ませるように変形させることなく手軽に係止解除できるために、硬質のもの同士を手軽に着脱自在に連結することができる。
【００１２】
また、面ファスナ１を撓ませるような変形が規制されているために、強固な連結状態を安定して実現することができる。さらに、連結解除に回転動作を利用することにより、操作部４の操作に要するスペースをコンパクトにすることができ、回転中心からより離れた位置で操作部４に操作力を入力できるようにすれば、てこを利用して操作力をより低く抑えることもできる。
【００１３】
なお、面ファスナ１については、オス側とメス側を係止、係止解除できるものであれば足りるために、例えば、オス側が上述したフック以外にマッシュルーム状のものや、一対の面ファスナ１、１の双方がフックとループのそれぞれを備えてオスメスの区別がないものなど適宜の態様のものを使用することが可能である。
【００１４】
上述した操作部４は回転操作可能であれば種々の形状を採用することが可能であり、例えばレバー状等にして手で直接把持できるようにしたり、あるいはドライバーや硬貨などの身の回りの道具と回転方向に噛み合うようにすれば、回転操作をより手軽にすることができる。この操作部４は、例えば面ファスナ固定部３を兼ねるようにして構成することも可能であるが、上述した回転軸線Ａ上に配置される軸部５により操作部４と面ファスナ固定部３を連結して形成される連結具本体６と、他方の面ファスナ１あるいは取付基部２への当接部７が形成されるとともに、上述した軸部５を回転自在に支持する軸挿通孔８が開設される支持部材９とによって連結具を構成した場合には、支持部材９を手で取付基部２側に押し付けるようにして支えることにより、操作部４の回転中心を安定させて回転操作性を高めることができる。
【００１５】
また、この場合において、上述した軸挿通孔８に螺合するネジ部１０を軸部５に形成するとともに、面ファスナ固定部３の進退移動スペース１１を支持部材９に設定すれば、操作部４の回転に伴って面ファスナ固定部３を回転軸線Ａ方向に移動させて進退移動スペース１１に進退させることにより、上述した引っ張り操作を要することなく取付基部２との連結を極めて簡単に解除することができる。
【００１６】
さらに、弾性変形により当接部７を取付基部２との接離方向に進退可能に支持する弾性部１４を支持部材に形成した場合には、さらに使い勝手を良好にすることができる。すなわち、連結に際しては面ファスナ同士１、１同士を圧接させることで高い連結強度を確保できる上に、このような圧接、および離隔に際して弾性部１４の弾性変形により当接部７の他方の面ファスナ１あるいは取付基部２への当接状態を維持すれば、上述した操作部４の回転操作性をも良好に確保することができる。この場合において、後述する実施の形態に示すように、一方の面ファスナ１を他方の面ファスナ１よりも小さな広さに形成し、当接部７を他方の面ファスナ１に当接させれば、面ファスナ同士１、１の離隔移動に際して他方の面ファスナ１を取付基部２に押し付けてその取付基部２への固定状態を安定させることができる。
【００１７】
また、以上のような面ファスナ１の着脱の仕組みを利用すれば、硬質の取付基部２との着脱を手軽にすることが可能な面ファスナ付き器機を得ることができる。この場合、面ファスナ付き器機は、
着脱可能な一対の面ファスナ１のいずれか一方を備え、硬質の取付基部２に固定された他方の面ファスナ１に着脱可能な面ファスナ付き器機であって、
前記面ファスナ１の背面に硬質材料からなる面ファスナ固定部３を固定するとともに、該面ファスナ固定部３の面ファスナ１反対方に面ファスナ１の中心部を通って面ファスナ１にほぼ直交する回転軸線Ａ上に配置された軸部５を介して、前記回転軸線Ａ周りに面ファスナ固定部３を回転操作可能な操作部４を連結して形成される連結具１２と、
前記取付基部２あるいは他方の面ファスナ１への当接部７が形成されるとともに、前記軸部５を回転自在に支持する軸挿入孔が開設される器機本体１３とを有して構成することができる。
【００１８】
また、この場合において上述同様に進退移動スペース１１を器機本体１３に設定し、軸部５にネジ部１０を形成すれば、取付基部２との連結解除を極めて手軽にできる。
【発明の効果】
【００１９】
以上の説明から明らかなように、本発明によれば、剛性の高い硬質のもの同士の手軽な操作での着脱が可能になるために、硬質のものの所定位置への連結固定やその取り外し、さらには連結固定位置の調整を極めて手軽にすることができる。
【図面の簡単な説明】
【００２０】
【図１】本発明に係る面ファスナ付き戸棚の設置状態を示す図で、（ａ）は正面図、（ｂ）は斜視図である。
【図２】面ファスナ付き戸棚の設置構造を示す要部拡大図で、（ａ）は図１（ａ）の２Ａ-２Ａ線断面図、（ｂ）は取り外し操作をしたときのもので（ａ）に対応する図である。
【図３】本発明に係る連結具を示す図で、（ａ）は設置状態の斜視図、（ｂ）は取り外し操作を説明するための側面図である。
【図４】連結具により設置される戸棚を示す図で、（ａ）は全体斜視図、（ｂ）は設置状態を示す斜視図である。
【図５】連結具の他の実施の形態を示すもので、（ａ）は全体斜視図、（ｂ）は戸棚を設置した状態であって戸棚の一部を破断して示す斜視図である。
【図６】他の実施の形態における連結具による戸棚の設置作業を説明する図で、（ａ）は設置前の戸棚に連結具を仮止めした状態を示す側面図、（ｂ）は仮止め状態の連結具を壁面に設置する作業を示す側面図である。
【図７】他の実施の形態における連結具による戸棚の設置作業を説明する図で、壁面に設置された連結具を戸棚に本締めする作業を示す側面図である。
【図８】他の実施の形態における連結具による戸棚の取り外し作業を説明する側面図である。
【図９】連結具の変形例を示すもので、（ａ）は全体斜視図、（ｂ）は戸棚を設置した状態を示す斜視図である。
【発明を実施するための形態】
【００２１】
図１および図２に本発明に係る面ファスナ付き器機の一例としての面ファスナ付き戸棚２０の実施の形態を示す。この実施の形態において面ファスナ付き戸棚２０は、図１（ａ）および（ｂ）に示すように、有底の四角筒状に形成された戸棚本体（器機本体１３）を備え、この戸棚本体１３の背板１３ａを壁面（取付基部２）に沿わせて設置される。この戸棚本体１３は、それぞれ板状の木材からなる背板１３ａと側板１３ｂの４枚とを箱状に組み付けて形成される。図１は面ファスナ付き戸棚２０の２個に写真立て２１や観葉植物２２、本２３を収容した場合を示すもので、各面ファスナ付き戸棚２０は壁面２から飛び出すように設置され、下側に支え等がないことにより斬新な見栄えをなす。なお、図１（ｂ）において２４は床面である。
【００２２】
上記戸棚本体１３を壁面２に固定するために、上述した背板１３ａには、メス側の面ファスナ１を備えた連結体（連結具本体６）が組み込まれ、また、壁面２にはオス側の面ファスナ１が固定される。上記連結体６は、図２に示すように、上述した面ファスナ１の背面に固定される面ファスナ固定部３と、この面ファスナ固定部３を上記面ファスナ１の中心部を通って該面ファスナ１にほぼ直交する回転軸線Ａ周りに回転操作するための操作部４と、面ファスナ固定部３の面ファスナ１反対方における上記回転軸線Ａ上に配置されて面ファスナ固定部３と操作部４を連結する軸部５とを有する。
【００２３】
上記面ファスナ固定部３は、剛性の高い硬質材料により適宜の厚さを備えて板状に形成され、面ファスナ１と同じ程度の広さに形成される。面ファスナ１が平面視真円形状に形成されるこの実施の形態において、面ファスナ固定部３は円盤状をなす。
【００２４】
上記操作部４は、円盤状に形成され、周縁を指先で摘むことにより回転させやすい程度の大きさ、厚さに形成される。以上の面ファスナ固定部３と操作部４とは、それぞれの平面視における中心部に両端をねじ込まれた寸切りボルトを上述した軸部５として機能させて連結される。
【００２５】
また、以上の連結体６は、設置状態の安定性を考慮して図１（ａ）に示すように背板１３ａの四隅部に組み付けられる。
【００２６】
一方、背板１３ａには、上述した軸部５が貫通するネジ穴からなる軸挿通孔８が形成される。したがって寸切りボルトからなる軸部５のネジ部１０は軸挿通孔８に螺合し、操作部４を回転操作することにより、連結体６が回転駆動に伴って図２（ｂ）に示す回転軸線Ａ方向に進退移動自在にされ、言い換えれば螺旋軌跡上を移動する。以上の連結体６は、操作部４を背板１３ａの表面側に露出させ、面ファスナ１を背板１３ａの背面側に露出させて戸棚本体１３に組み付けられる。なお、上記軸挿通孔８は、上述した寸切りボルト等のボルトを背板１３ａに直接ねじ込ませて構成されるネジ穴以外に、例えば、背板１３ａに鬼目ナットを埋め込むことにより形成することも可能である。
【００２７】
また、メス側の面ファスナ１の表面を背板１３ａの背面とほぼ同一平面上に位置させ、さらには背面とのほぼ同一平面上から表面側に向かって移動できるようにするために、背板１３ａの背面には凹部（進退移動スペース１１）が形成される。この凹部１１は、面ファスナ固定部３よりもひとまわり広い大きさに形成され、また、面ファスナ固定部３と面ファスナ１とを合算した厚さ寸法よりも長寸の深さ寸法に形成される。したがって凹部１１の底面に面ファスナ固定部３の面ファスナ１とは反対面を合わせるようにして凹部１１内に面ファスナ固定部３を収容すると、面ファスナ１の表面が背板１３ａの背面よりも表面側の位置をとり、また、この状態から面ファスナ固定部３を凹部１１から飛び出す方向に向かって移動させれば、面ファスナ１の表面を背板１３ａの背面とほぼ同一平面上に合わせることができる。
【００２８】
さらに、背板１３ａの表面には、面ファスナ固定部３の凹部１１から飛び出す方向への移動範囲を規制するための移動規制部２５が形成される。この移動規制部２５は、具体的には適宜厚さの硬質材料からなり、背板１３ａの表面における操作部４と重合する位置に接着固定されて背板１３ａと操作部４との間に配置される。以上の移動規制部２５の厚さは、操作部４の背面が当接した際に、面ファスナ１の表面が背板１３ａの背面とほぼ同一平面上になる程度にされ、操作部４と面ファスナ固定部３との間の軸部５の長さ寸法が移動規制部２５の厚さ寸法と背板１３ａの凹部１１領域における厚さ寸法を合算したものよりも大きくされることにより、移動規制部２５から操作部４の背面を離隔させれば、面ファスナ１の表面を背板１３ａの背面よりもやや表面側に移動させることができる。
【００２９】
なお、上記移動規制部２５は、以上においては硬質材料を背板１３ａの表面に接着固定して形成する場合を示したが、その形状、背板１３ａへの固定方法などに関しては、操作部４に干渉してその移動範囲を規制できることを条件に適宜のものを採用することが可能で、さらには背板１３ａに一体的に形成しても足りる。
【００３０】
また、上述したオス側の面ファスナ１は、図２に示すように、壁面２に両面粘着テープ２６により固定される。このオス側の面ファスナ１は、上述したメス側の面ファスナ１よりも平面視においてひとまわり大きく形成される。なお、上記壁面２は、例えば、表面に壁紙を貼った石膏ボードにより形成される。
【００３１】
したがって図２（ａ）に示すように、操作部４を操作してメス側の面ファスナ１の表面を戸棚本体１３の背面にほぼ一致する位置にしておき、壁面２に固定されたオス側の面ファスナ１に重ねれば、オスメスの面ファスナ１、１が係止して連結状態になり、戸棚本体１３が壁面２に固定される。また、図２（ｂ）に示すように、この固定状態から操作部４を指先で摘んで左回りに回転させれば、送りネジとして機能する軸部５によりメス側の面ファスナ１がオス側の面ファスナ１から離れる方向に移動して係止解除され、連結解除される。これにより戸棚本体１３を壁面２から取り外すことができる。この連結解除に際しては、オスメスの面ファスナ１、１がその境界面に沿って相対回転移動することで係止解除がなされるために、操作部４への操作にあまり力を要することはない。また、オス側の面ファスナ１は、戸棚本体１３の壁面２への固定状態において周縁部が背板１３ａにおける凹部１１の周壁部に当接しているために、戸棚本体１３を壁面２側に押し付けておけば上述した係止解除に際して壁面２から剥がれるなどしてしまうことはない。
【００３２】
図３および図４に本発明に係る連結具１２の実施の形態を示す。なお、以下の実施の形態や変形例において、上述した実施の形態と同一の要素については同一の符号を付して説明を省略する。この連結具１２は、上述した面ファスナ付き戸棚２０における壁面２との連結機構を活用して構成されたもので、上述した連結体６同様、図３（ａ）に示すように、メス側の面ファスナ１の背面に固定される面ファスナ固定部３に軸部５を介して操作部４を連結して形成される。
【００３３】
また、連結具１２として構成されるこの実施の形態において、上記軸部５および操作部４はそれぞれ直杆状に形成され、操作部４が軸部５に対して直交方向に配置されてこれら全体としてＴ字状をなす。この操作部４の全長は面ファスナ固定部３の直径よりもやや長寸に形成される。さらに、面ファスナ固定部３、軸部５、および操作部４は適宜の硬質材料により形成され、具体的にはこの実施の形態においては硬質の合成樹脂材を射出成形してこれらが一体形成される。
【００３４】
以上の連結具１２は、図３（ａ）に示すように、予め壁面２に固定されたオス側の面ファスナ１に対し、メス側の面ファスナ１を介して壁面２に取り付けられる。また、図３（ｂ）に矢印に示すように、壁面２に取り付けられた状態から操作部４を手２７で握って捩るようにしながら壁面２から離す、すなわち螺旋移動させれば、あまり力を要することなくオスメスの面ファスナ１、１の係止を解除して連結具１２を壁面２から取り外すことができる。なお、この実施の形態において、壁面２は例えばコンクリートであり、オス側面ファスナ１は図３（ｂ）に示すように接着剤（あるいは粘着材）２８により壁面２に固定される。
【００３５】
図４（ａ）はこの連結具１２に連結されて壁面２に固定される戸棚２９を示すもので、戸棚２９は、上述した実施の形態における戸棚本体１３と同様に有底の四角筒状に形成される。また、戸棚２９の背面寄りの角部、すなわち側板２９ｂ同士の接合部分には、上述した連結具１２と連結される被連結部としての連結具受け部２９ｃが形成される。この連結具受け部２９ｃは、具体的にはこの実施の形態においては、背板１３ａと平行なスリット状に形成され、正面視において正方形をなす。また、その戸棚２９の背面からの距離は、後述するように壁面２に連結具１２を取り付け、戸棚２９の背板１３ａを壁面２に合わせたときに、連結具１２の操作部４が係合可能な程度に合わせられる。
【００３６】
なお、上述した戸棚２９は、連結具１２に連結されて壁面２に固定される器機の一例に過ぎず、連結具受け部２９ｃを設けることで例えば額縁など適宜のものを連結具１２による壁面２への固定対象にすることが可能であり、また、上記連結具受け部２９ｃの構造や、この連結具受け部２９ｃに連結される連結具１２における連結部分の構造についても一例に過ぎない。
【００３７】
以上の戸棚２９の壁面２への固定は、上述した連結具１２の４個を用いてなされ、具体的には、先ず、連結具１２の各々を壁面２に取り付ける。オス側の面ファスナ１は予め戸棚２９の取付予定位置の四隅近傍、より正確には、上記取付予定位置から戸棚２９の横側にややずれた位置に固定されており、したがって連結具１２は、戸棚２９の取付予定位置の横側、より具体的には戸棚２９を左右方向から挟むようにして壁面２に固定される。また、壁面２への固定に際しては、上側に配置される一対の連結具１２、１２について、操作部４の長手方向を鉛直方向に合わせ、また、下側に配置される一対の連結具１２、１２については、操作部４の長手方向を水平方向に合わせる。
【００３８】
次いで、戸棚２９の背面を取付予定位置よりもやや上方、すなわち連結具１２よりもやや上方の壁面２に合わせた後、戸棚２９を下方にスライド移動させる。このスライド移動に伴い、下側に配置される各連結具１２の操作部４、より正確には操作部４の長手方向一端部は連結具受け部２９ｃに進入する。以上のスライド移動は、上記操作部４が連結具受け部２９ｃの端縁、すなわち図４（ｂ）に示すように上縁に衝接するまでなされ、その完了時には、下側の一対の連結具１２、１２が連結具受け部２９ｃを介して戸棚２９の垂直荷重を支えて戸棚２９を壁面２の所定位置に支持する。
【００３９】
この後、上側に配置される各連結具１２の操作部４を手で握って回転操作すれば、上側の各連結具１２の操作部４も近傍の連結具受け部２９ｃに進入する。以上の上側の一対の連結具１２、１２は、戸棚２９が壁面２側の下端縁を中心にして前方に倒れ込むように回転しないように連結具受け部２９ｃを介して戸棚２９を支える。
【００４０】
したがってこの連結具１２において、操作部４は、連結対象である戸棚２９との連結部としても機能する。
【００４１】
また、戸棚２９を壁面２から取り外したい時には、以上とは逆に上側の各連結具１２を回転させた上で、戸棚２９を上方にスライド移動させればよく、操作部４が連結具受け部２９ｃから抜け出すまでスライド移動させたら、あとは連結具１２に規制されることなく戸棚２９を壁面２から離れる方向に自由に移動させることができるようになる。
【００４２】
図５ないし図８に連結具１２の他の実施の形態を示す。この実施の形態において、連結具１２は、上述した連結体６にほぼ相当する連結具本体６に加え、この連結具本体６に連結される支持部材９を備える。上記支持部材９には、図５（ａ）に示すように、連結具本体６の軸部５が螺合する軸挿通孔８が開設されるとともに、壁面２あるいはこの壁面２に固定されたオス側の面ファスナ１との当接部７が形成される。
【００４３】
また、この実施の形態において、オス側の面ファスナ１は、図６に示すように、壁面２にステープル３２により固定され、この壁面２は、図外のステープラを用いてステープル２６を打ち込むことができるように、表面に壁紙を貼った石膏ボードにより形成される。
【００４４】
上記支持部材９は、具体的には、上記軸挿通孔８が開設された天井板３０と、この天井板３０から面ファスナ固定部３やメス側の面ファスナ１の外側に張り出し、その先端を上記当接部７とする支持部３１とを有する。上記天井板３０は、図５（ａ）や図６（ａ）に示すように、面ファスナ固定部３よりもひとまわり大きい程度の広さの矩形板状をなし、その中央部に上述した軸挿通孔８が開設される。この天井板３０は例えば金属、合成樹脂などの適宜の硬質材料により形成される。
【００４５】
上記支持部３１は、面ファスナ固定部３等を外側から囲む四角筒状をなし、天井板３０の周縁から延設される。したがって支持部材９は、天井板３０と支持部３１とで囲むようにして形成されて内部に面ファスナ固定部３を収容可能で、上述した凹部にほぼ相当する収容部（進退移動スペース１１）を備える。
【００４６】
また、上述した当接部７による壁面２等との当接状態を確保しやすくするために、支持部材９には該支持部材９の軸部５長手方向の寸法を弾性変形により伸縮可能にする弾性部１４が形成される。この弾性部３２は、具体的には当接部７を含む支持部３１の先端部に配置され、軸部５の長手方向に適宜の厚さを備えて形成される。当接部７が壁面２等に強く押しつけられると弾性部１４は圧縮変形して上述した収容部１１の深さを浅くし、メス側の面ファスナ１が収容部１１内の浅い位置にあるときにはその表面を収容部１１外に露出させる。
【００４７】
以上の弾性部１４は例えばスポンジ等の弾性を有する合成樹脂により形成され、支持部３１の残余の領域は木材や金属等の硬質材料により形成される。また、上記合成樹脂には摩擦抵抗の大きいものが採用される。したがって支持部材９は弾性部１４を構成するスポンジ等と天井板３０および支持部３１の弾性部１４を除く領域を構成する硬質材料を接着固定して形成される。また、支持部３１においてこのように硬質材料により形成される領域は、少なくとも面ファスナ固定部３の厚さよりも長尺に形成される。
【００４８】
一方、連結具本体６は、上述同様に軸部５を構成する寸切りボルトの面ファスナ固定部３反対方に軸部５と一体に形成された操作部４を備える。この操作部４は、具体的には寸切りボルトの端面に硬貨やマイナスドライバーと噛み合い可能に形成されてこれらによって回転操作な溝で構成される。
【００４９】
さらに、連結具本体６は、以上の操作部４や軸部５、面ファスナ固定部３に加え、連結対象との連結部として機能する連結部材３３を備える。この連結部材３３は、具体的には、中央部に軸部５と螺合するネジ穴３３ａが貫通状に形成された円筒近似形状をなし、例えば金属材料により形成される。連結部材３３の外周面には、図５（ａ）に示すように指で掴む際に滑り止めとして機能するローレット加工が施される。
【００５０】
上述した実施の形態同様、連結具１２により戸棚２９を壁面２に取り付けるこの実施の形態において、図５（ｂ）や図６（ａ）等に示すように、戸棚２９の背板２９ａの四隅部には、この実施の形態においては軸部５が貫通可能な貫通穴２９ｄが穿孔される。また、側板２９ｂには壁面２側の端縁寄りの位置に溝２９ｅが形成され、背板２９ａは、その周縁を上記溝２９ｅに嵌合させて側板２９ｂに固定される。これにより戸棚２９は、背板２９ａが背面よりもやや表面側に配置され、背面側に凹部２９ｆを備える。
【００５１】
以上の戸棚２９の連結具１２による壁面２への取り付けに際しては、予め壁面２にオス側の面ファスナ１が固定された上で、先ず、図６（ａ）に示すように、上述した貫通孔２９ｄを利用して戸棚２９の背板２９ａに連結具１２が仮止めされる。この仮止めは、連結部材３３を取り外した軸部５を戸棚２９の背板２９ａの背面側から貫通孔２９ｄに貫通させた後、背板２９ａの表面側において連結部材３３を取り付けてなされる、すなわち、貫通孔２９ｄを貫通する軸部５に対して背板２９ａを跨ぐように支持部材９と連結部材３３を螺合させてなされ、また、この際に軸部５は、弾性部３２の圧縮変形によってメス側の面ファスナ１の表面が収容部１１外に露出できる位置において支持部材９と螺合される。
【００５２】
次いで、この状態において収容部１１内に位置しているメス側の面ファスナ１がオス側の面ファスナ１に対峙する位置に戸棚２９を合わせ、図６（ｂ）に矢印で示すように、戸棚２９を壁面２側に押し付ける。上述した仮止めにおいては背板２９ａと連結部材３３や支持部材９との間に適宜の隙間があるために連結具１２が軸部５の長手方向に戸棚２９に対して移動可能であるが、この押し付けにより、戸棚２９の背板２９ａに天井板３０を押されるようにして支持部材９が当接部７においてオス側の面ファスナ１の表面に圧接し、また、これに伴って弾性部３２が弾性変形すると、メス側の面ファスナ１が収容部１１から飛び出すようにしてオス側の面ファスナ１に接触して係止し、これにより連結具１２が壁面２に固定される。このとき、当接部７は、上述したように摩擦抵抗が大きい材料により形成されるために、メス側の面ファスナ１がオス側のメンファスナ１に対して境界面上で滑るように動くことはない。また、支持部３１等はその一部が凹部２９ｆ内に収容され、戸棚２９はその背面を壁面２にほぼ接触させるようにして固定状態の外観が高められる。
【００５３】
以上のようにオスメスの面ファスナ１、１が係止した状態で、図７に矢印で示すように戸棚２９を壁面２に押し付けながら連結部材３３を指で摘んで回転操作すれば、軸部５のネジ部１０によって背板２９ａ側に運ばれる連結部材３３と支持部材９との間に背板２９ａが挟持され、連結具１２が戸棚２９に移動不能に固定されて取り付け作業が完了する。また、壁面２から戸棚２９を取り外したいときには、図８に矢印で示すように、戸棚２９を壁面２側に押し付けながら操作部４を回転操作すれば、メス側の面ファスナ１が螺旋移動してオス側の面ファスナ１との係止が解除され、連結具１２と壁面２との連結が解除される。上述のようにメス側の面ファスナ１がオス側の面ファスナ１から離れる際には、弾性部３２を介して支持部材９がオス側の面ファスナ１を壁面２側に押し付けているために、オス側の面ファスナ１がメス側の面ファスナ１につられて壁面２から外れてしまうようなことはない。
【００５４】
図９に連結具１２の変形例を示す。この変形例においては、支持部材９が上述した連結部や移動規制部２５を備える。連結部は図９（ａ）に示すように天井板３０に沿って支持部３１から張り出す舌片３４からなり、上述したように戸棚２９に形成されている連結具受け部２９ｃに嵌合可能な厚さに形成される。したがって戸棚２９の取付予定位置の四隅部近傍の壁面２に連結具１２を取り付け、戸棚２９をスライド移動させて連結具受け部２９ｃに舌片３４を嵌合させれば、壁面２に固定された連結具１２に戸棚２９を連結することができる。
【００５５】
なお、連結具１２に関し、以上の実施の形態や変形例において述べた操作部４や軸部５、支持部材９、さらには連結部の各種の態様については、これらを適宜組み合わせて連結具１２を構成することが可能である。
【符号の説明】
【００５６】
１    面ファスナ
２    取付基部
３    面ファスナ固定部
４    操作部
５    軸部
６    連結具本体
７    当接部
８    軸挿通孔
９    支持部材
１０    ネジ部
１１    進退移動スペース
１２    連結具
１３    器機本体
１４    弾性部
Ａ    回転軸線
【図１】
2014119014.tif 000003
【図２】
2014119014.tif 000004
【図３】
2014119014.tif 000005
【図４】
2014119014.tif 000006
【図５】
2014119014.tif 000007
【図６】
2014119014.tif 000008
【図７】
2014119014.tif 000009
【図８】
2014119014.tif 000010
【図９】
2014119014.tif 000011